(57)【要約】【課題】  正反射光下で傾けて観察した際に潜像のジャンプ現象を回避し、潜像が連続的に移動、変化して視認される潜像印刷物において、所定の観察角度において、潜像の視認性を向上させた潜像印刷物を提供する。【解決手段】  基材の少なくとも一部に、明暗フリップフロップ性及びカラーフリップフロップ性のうち、少なくとも一方の光学特性を備えた蒲鉾状画線が万線状に配置された蒲鉾状画線群と、蒲鉾状画線群の上に、正反射光下で蒲鉾状画線群とは異なる色彩を有する第１の潜像画像と第２の潜像画像から成る潜像画像が積層された潜像印刷物であって、第１の潜像画像を構成する潜像画像は、第２の潜像画像を構成する潜像画像の数より多く、第２の潜像画像は、第１の潜像画像を構成する潜像画像の位置及び／又は形状が徐々に変化する規則に対して、逆の規則で位置及び／又は形状が変化する潜像画像によって構成する。【選択図】  図５
2020019255.tif 000002
【特許請求の範囲】
【請求項１】
基材の少なくとも一部に、明暗フリップフロップ性及びカラーフリップフロップ性のうち、少なくとも一方の光学特性を備えた蒲鉾状画線が第１のピッチで万線状に配置された蒲鉾状画線群と、前記蒲鉾状画線群の上に、正反射光下で前記蒲鉾状画線群とは異なる色彩を有する第１の潜像画像と第２の潜像画像から成る潜像画像が積層され、正反射光下で観察角度を変化させると、前記潜像画像による潜像が変化して視認される潜像印刷物であって、前記第１の潜像画像は、基画像の位置及び／又は形状が徐々に異なる第１−１の基画像、第１−２の基画像、・・・、第１−ｉの基画像（ｉは、３以上の整数）を、所定の幅で分割した複数の潜像画線が前記第１のピッチで配置されて成る第１−１の潜像画像、第１−２の潜像画像、・・・、第１−ｉの潜像画像から成り、前記第２の潜像画像は、前記第１−１の基画像から前記第１−ｉの基画像へ位置及び／又は形状が異なる規則とは逆の規則で、位置及び／又は形状が徐々に異なる第２−１の基画像、第２−２の基画像、・・・、第２−ｊの基画像（ｊは、ｉより小さい２以上の整数）を、前記所定の幅で分割した複数の潜像画線が前記第１のピッチで配置されて成る第２−１の潜像画像、第２−２の潜像画像、・・・、第２−ｊの潜像画像から成り、前記蒲鉾状画線の上に、前記第１−１の潜像画像から前記第１−ｉの潜像画像を構成する潜像画線と、前記第２−１の潜像画像から前記第２−ｊの潜像画像を構成する潜像画線が順に配置されたことを特徴とする潜像印刷物。
【請求項２】
前記第１の潜像画像を構成する前記第１−１の潜像画像から前記第１−ｉの潜像画像の数と、前記第２の潜像画像を構成する前記第２−１の潜像画像から前記第２−ｊの潜像画像の数の和に対して、前記第１の潜像画像を構成する前記第１−１の潜像画像から前記第１−ｉの潜像画像の数の比が６０％以上９０％以下であることを特徴とする請求項１記載の潜像印刷物。
【発明の詳細な説明】
【技術分野】
【０００１】
本発明は、銀行券、諸証券等、高度な偽造防止が要求される印刷物の分野において、観察角度を連続的に変化させることで、視認される画像が異なる画像に変化又は動的効果を奏する潜像印刷物に関わるものである。
【背景技術】
【０００２】
銀行券、有価証券等のセキュリティ印刷物には、その価値を保証及び維持するために、偽造防止のための様々な技術が形成されている。これらの偽造防止技術の一つとして、本出願人は、観察角度を連続的に変化させることで潜像画像が立体的かつ動的に視認できる潜像印刷物を出願している（例えば、特許文献１参照）。
【０００３】
特許文献１の印刷物は、高い光沢及び盛り上がりを有する蒲鉾状の画線の上に、基画像を分割して圧縮した潜像要素を重ねて形成した構成であり、光が入射した場合に、盛り上がりを有する蒲鉾状の画線のうち、入射する光と法線を成す面のみが強く光を反射する現象を利用し、観察角度の変化により、蒲鉾状の画線の上に形成した潜像要素のサンプリングされる位置も変化することで、出現する潜像画像が動いて見える効果を備えたものである。なお、特許文献１の印刷物は、同様の効果のあるレンチキュラーやパララックスバリアを用いる技術を薄型化することや、印刷技術のみで簡易に製造することを課題として提案したものである。
【０００４】
しかしながら、特許文献１の技術は、動画効果に優れた技術であり、出現した潜像画像は連続的にスムーズに動くことを特徴とするが、その一方で蒲鉾状の画線と潜像要素の重ね合わせの位置が適正な位置からずれて形成された場合には、正反射光下におけるわずかな観察角度の変化によって、出現する潜像画像がある特定の位置から全く異なる位置へと突然位相を変化させる「ジャンプ」と呼ばれる現象が生じ、観察者に違和感を生じさせてしまうという問題があった。
【０００５】
この問題に対して、本出願人は、蒲鉾状の画線と潜像要素の重ね合わせの位置が適正な位置からずれた場合であっても、ジャンプ現象が生じることなく、潜像画像が連続的にスムーズに変化する潜像印刷物を提案している（例えば、特許文献２参照）。
【０００６】
特許文献２の印刷物は、基画像を分割して圧縮した潜像要素（以下「ＩＰ要素」という。）と、当該潜像要素をミラー反転した潜像要素（以下「ＩＰ反転要素」という。）をセットとして、蒲鉾状の画線の上に交互に形成した構成である。そして、観察角度を変化させると、ＩＰ要素によって視認できる潜像画像が移動して端点に達すると、ＩＰ反転要素によって視認できる潜像画像が、ＩＰ要素による潜像画像が移動する方向とは逆の方向に移動する、いわゆる往復移動する効果が得られる。すなわち、蒲鉾状の画線において、ＩＰ要素とＩＰ反転要素をセットとして形成することにより、蒲鉾状の画線に対して、ＩＰ要素とＩＰ反転要素の位置がずれたとしても、移動方向が切り替わる観察角度が変わるだけで、スムーズに移動する効果が得られる。
【先行技術文献】
【特許文献】
【０００７】
【特許文献１】特許第５２００２８４号公報
【特許文献２】特開２０１６−２０３４５９号公報
【発明の概要】
【発明が解決しようとする課題】
【０００８】
しかしながら、特許文献２の印刷物は、ＩＰ要素とＩＰ反転要素をセットとして、蒲鉾状の画線の上に形成することで、ジャンプ現象が生じることなく、潜像画像が連続的に往復移動する効果が得られるが、蒲鉾状の画線の上に、潜像画像を構成する２種類の要素を形成する必要があることから、往復移動する潜像画像の視認性が低下するという問題があった。この問題を分かりやすく説明するため、図面を用いて説明する。
【０００９】
図２５は、特許文献１の印刷物（１００）を異なる角度から観察する状態と、観察角度によって視認できる潜像を模式的に示す図であり、ここでは、印刷物（１００）に対して、七つの異なる角度の視点（Ｌ）から観察した際に、潜像（Ｒ）が左端から右端へ七つの異なる位置に直線上に移動して視認される状態を示している。また、図２６は、特許文献２の印刷物（１０１）を異なる角度から観察する状態と、観察角度によって視認できる潜像を模式的に示す図であり、ここでは、印刷物（１０１）に対して、七つの異なる角度の視点（Ｌ）から観察した際に、潜像（Ｓ）が左端から右端へ異なる位置に移動し、更に潜像（Ｓ）が右端から左端に移動して視認される状態を示している。
【００１０】
図２５に示すように、引用文献１の印刷物は、視点（Ｌ１）を基準に六つの観察角度が変化することで、潜像（Ｒ）が左端から右端へ移動すればよいが、引用文献２の印刷物は、往復移動する分、視点（Ｌ１）を基準に三つの観察角度が変化することで、潜像（Ｓ）が左端から右端へ移動する必要がある。このように、引用文献２の印刷物は、ＩＰ要素とＩＰ反転要素をセットとして設けるため、視点（Ｌ）の変化による潜像（Ｓ）の移動量が大きい構成となっている。特許文献１及び特許文献２の印刷物において、単一の光源から印刷物に光が照射される理想的な観察条件であれば、光源からの入射光と観察者の視線が直行する蒲鉾状画線の上に形成された潜像要素のみが抽出されて潜像が視認できるが、潜像印刷物に複数の方向から光が入射する環境の影響や、蒲鉾状画線の形状（曲率）の影響により、潜像要素のサンプリングされる範囲が広くなり、複数の視点に応じた潜像が合わさって見えることがあり、潜像が不鮮明になるという問題が生じていた。
【００１１】
一方で、特許文献１の印刷物と同じような潜像の視認性を確保しようとすると、潜像の移動量が小さくなってしまうという問題があった。
【００１２】
本発明は、前述した課題の解決を目的とするものであり、正反射光下で傾けて観察した際に潜像のジャンプ現象を回避し、潜像が連続的に移動、変化して視認される潜像印刷物において、所定の観察角度において、潜像の視認性を向上させた潜像印刷物を提供する。
【課題を解決するための手段】
【００１３】
本発明の潜像印刷物は、基材の少なくとも一部に、明暗フリップフロップ性及びカラーフリップフロップ性のうち、少なくとも一方の光学特性を備えた蒲鉾状画線が第１のピッチで万線状に配置された蒲鉾状画線群と、蒲鉾状画線群の上に、正反射光下で蒲鉾状画線群とは異なる色彩を有する第１の潜像画像と第２の潜像画像から成る潜像画像が積層され、正反射光下で観察角度を変化させると、潜像画像による潜像が変化して視認される潜像印刷物であって、第１の潜像画像は、基画像の位置及び／又は形状が徐々に異なる第１−１の基画像、第１−２の基画像、・・・、第１−ｉの基画像（ｉは、３以上の整数）を、所定の幅で分割した複数の潜像画線が第１のピッチで配置されて成る第１−１の潜像画像、第１−２の潜像画像、・・・、第１−ｉの潜像画像から成り、第２の潜像画像は、第１−１の基画像から第１−ｉの基画像へ位置及び／又は形状が異なる規則とは逆の規則で、位置及び／又は形状が徐々に異なる第２−１の基画像、第２−２の基画像、・・・、第２−ｊの基画像（ｊは、ｉより小さい２以上の整数）を、所定の幅で分割した複数の潜像画線が第１のピッチで配置されて成る第２−１の潜像画像、第２−２の潜像画像、・・・、第２−ｊの潜像画像から成り、蒲鉾状画線の上に、第１−１の潜像画像から第１−ｉの潜像画像を構成する潜像画線と、第２−１の潜像画像から第２−ｊの潜像画像を構成する潜像画線が順に配置されたことを特徴とする。
【００１４】
また、本発明の潜像印刷物は、第１の潜像画像を構成する第１−１の潜像画像から第１−ｉの潜像画像の数と、第２の潜像画像を構成する第２−１の潜像画像から第２−ｊの潜像画像の数の和に対して、第１の潜像画像を構成する第１−１の潜像画像から第１−ｉの潜像画像の数の比が６０％以上９０％以下であることを特徴とする。
【発明の効果】
【００１５】
本発明の潜像印刷物は、正反射光下で傾けて観察した際に潜像のジャンプ現象を回避し、潜像が連続的に移動、変化して視認される潜像印刷物において、所定の観察角度において、鮮明な潜像を視認することができる。
【図面の簡単な説明】
【００１６】
【図１】本発明の潜像印刷物の概要を示す図である。
【図２】本発明の潜像印刷物の効果を示す図である。
【図３】蒲鉾状画線群の構成を示す図である。
【図４】潜像画像の構成を示す図である。
【図５】第１の潜像画像と第２の潜像画像の構成を示す図である。
【図６】第１−１の潜像画像に対応した基画像を示す図である。
【図７】蒲鉾状画線の上に形成された第１−１の潜像画線を示す図である。
【図８】第１−２の潜像画像に対応した基画像を示す図である。
【図９】蒲鉾状画線の上に形成された第１−２の潜像画線を示す図である。
【図１０】各潜像画像が一定の間隔で直線上を移動する規則について説明する図である。
【図１１】各潜像画像が異なる間隔で直線上を移動する規則について説明する図である。
【図１２】各潜像画像が直線上を移動する逆の規則について説明する図である。
【図１３】蒲鉾状画線の上に形成された潜像画線を示す図である。
【図１４】蒲鉾状画線の上に形成された潜像画線の他の例を示す図である。
【図１５】潜像印刷物を、正反射光下の異なる観察角度から観察した際の効果について説明する図である。
【図１６】潜像の移動の例を示す図である。
【図１７】潜像が回転して視認できる例を示す図である。
【図１８】各潜像画像が一定の回転方向に回転する規則について説明する図である。
【図１９】各潜像画像が一定の回転方向に回転する逆の規則について説明する図である。
【図２０】潜像が回転して視認できる別の例を示す図である。
【図２１】潜像が拡大と縮小して視認できる例を示す図である。
【図２２】各潜像画像が拡大と縮小される規則について説明する図である。
【図２３】潜像の形状が変化して視認できる例を示す図である。
【図２４】潜像の形状が変化する規則について説明する図である。
【図２５】特許文献１の印刷物の効果の一例を示す図である。
【図２６】特許文献２の印刷物の効果の一例を示す図である。
【図２７】実施例１の潜像画像の構成を示す図である。
【発明を実施するための形態】
【００１７】
本発明を実施するための形態について、図面を参照して説明する。しかしながら、本発明は、以下に述べる実施するための形態に限定されるものではなく、特許請求の範囲記載における技術的思想の範囲内であれば、その他の様々な実施の形態が含まれる。
【００１８】
図１は、本発明の潜像印刷物（１）の概要を示す図である。図１（ａ）は、潜像印刷物（１）の平面図であり、図１（ｂ）は、図１（ａ）のＡ−Ａ’線における断面図である。図１（ａ）に示すように、潜像印刷物（１）は、基材（２）の上に蒲鉾状画線群（１０）と潜像画像（２０）を備え、潜像画像（２０）は、図１（ｂ）に示すように、蒲鉾状画線群（１０）の上に積層される。
【００１９】
図２は、観察者の視点（Ｌ）に対して、本発明の潜像印刷物（１）の角度（正反射）を変えて観察した場合に視認できる潜像（Ｔ）を模式的に示す図であり、図２６で説明した従来の印刷物との効果の差を分かりやすく説明するため、本実施の形態においても、七つの異なる角度から観察して、七つの潜像が移動して視認できる潜像印刷物（１）の例を示している。なお、本発明において、潜像（Ｔ）の図柄は特に限定されるものではないが、ここでは「花びら」を潜像（Ｔ）の図柄とした例で説明する。
【００２０】
図２（ａ）から図２（ｇ）までの観察状態へ、徐々に潜像印刷物（１）を傾けて観察すると、特開２０１６−２０３４５９号公報と同様に、潜像（Ｔ）が直線上に移動して端点に達すると、続いて、逆の方向に移動する効果がある。ただし、本発明においては、図２（ａ）の観察状態を基準に、図２（ｅ）の観察状態へ４段階の角度を変えて観察した場合に、潜像（Ｔ）が左端から右端に移動し、図２（ｅ）から図２（ｇ）までの観察状態へ、２段階の角度を変えて観察した場合に、潜像（Ｔ）が右端から左端に移動する。すなわち、潜像（Ｔ）が左端から右端に移動するまでの視点の数（観察角度の変化）及びそれに応じて視認できる潜像（Ｔ）の数と、潜像（Ｔ）が右端から左端に移動するまでの視点の数（観察角度の変化）及びそれに応じて視認できる潜像（Ｔ）の数が異なる。以下、本発明の潜像印刷物（１）の詳細な構成と、図２に示すような潜像（Ｔ）が移動する原理について説明する。  
【００２１】
基材（２）は、蒲鉾状画線群（１０）と潜像画像（２０）が形成可能な平面を備えていればよく、上質紙、コート紙、プラスティック、金属等、材質は特に限定されない。その他、基材（２）の色彩や大きさについても特に制限はない。また、蒲鉾状画線群（１０）と潜像画像（２０）は、正反射光下の観察時に色差（明暗差又は色相差）が発現する組合せであれば、拡散反射光下の色彩に限定はなく、透明であっても着色されていてもよい。
【００２２】
（蒲鉾状画線群）
図３は、図１に示す蒲鉾状画線群（１０）の詳細な構成を示す図である。図３（ａ）は、蒲鉾状画線群（１０）の平面図であり、図３（ｂ）は、図３（ａ）のＢ−Ｂ’線における断面図である。蒲鉾状画線群（１０）は、図３（ａ）の拡大図に示すように、第１の画線幅（Ｗ１）の蒲鉾状画線（１１）が、第１のピッチ（Ｐ１）で、第一の方向（図中Ｓ１方向）に万線状に配置されて成り、蒲鉾状画線（１１）は、図３（ｂ）に示すように、盛り上がりのある画線で構成される。なお、本発明における蒲鉾状画線（１１）は、断面が曲線で構成された部分を備えていれば、図３（ｂ）に示す断面形状に限定されるものではなく、半円形状又は半楕円形状等の画線であってもよい。
【００２３】
出現する潜像に一定の視認性を確保するために、図３（ｂ）に示す蒲鉾状画線（１１）の盛り上がりの高さ（Ｈ）は、３μｍ以上が必要であることから、スクリーン印刷、凹版印刷及びＵＶ−ＩＪＰで形成することが望ましいが、グラビア印刷やフレキソ印刷、凸版印刷等であっても、この程度の画線の盛り上がりの高さを形成することは可能である。また、盛り上がりの高さの上限に関しては、特に制限はないが、潜像印刷物（１）を大量に積載した場合の安定性や耐摩耗性及び流通適性等を考慮すると、１ｍｍ以下である。また、蒲鉾状画線（１１）の第１の画線幅（Ｗ１）は、５０μｍ以上１０００μｍ以下であり、より好ましくは、１００μｍ以上６００μｍ以下である。５０μｍ未満では、蒲鉾状画線（１１）の盛り上がりの高さ（Ｈ）を３μｍ以上とすることが難しく、１０００μｍを超えると、画線が蒲鉾状ではなく台形に近づくためである。
【００２４】
また、本発明において、蒲鉾状画線（１１）は、明暗フリップフロップ性又はカラーフリップフロップ性を備える必要があり、明暗フリップフロップ性とは、正反射した場合に明度が上昇する特性を指し、カラーフリップフロップ性とは、色相が変化する特性を指す。すなわち、蒲鉾状画線（１１）は、光が入射した場合に、明度や色相が変化することで、色彩が大きく変化する特性を有する必要がある。色彩の変化の大きさが大きければ大きいほど、出現する潜像の視認性は高くなる。
【００２５】
盛り上がりを有する蒲鉾状画線（１１）に明暗フリップフロップ性を付与する方法の一例としては、高光沢なインキ樹脂を用いたり、インキ中に金属顔料を混合したインキを用いたりして印刷することで容易に実現することができる。
【００２６】
また、カラーフリップフロップ性を付与する方法の一例としては、パールインキや液晶インキ、ＯＶＩ、ＣＳＩ（Ｃｏｌｏｒ Ｓｈｉｆｔｉｎｇ Ｉｎｋ）等のインキを用いて印刷することで容易に実現することができる。多くのインキは物体色を有するが、虹彩色パールインキは無色透明である。例えば、赤色の虹彩色パールインキは、拡散反射光下では無色透明だが、正反射光下では赤色の干渉色を発する。このようにカラーフリップフロップ性を備えたインキは、正反射光下で色相が変化する。
【００２７】
（潜像画像）
図４は、図１に示す潜像画像（２０）の詳細な構成を示す図であり、図４に示すように、潜像画像（２０）は、第１の潜像画像（３０）と第２の潜像画像（４０）から成る。本実施の形態において、第１の潜像画像（３０）による潜像は、図２に示す左端から右端に向かって徐々に移動する潜像（Ｔ）に対応したものであり、第２の潜像画像（４０）は、図２に示す右端から左端に向かって徐々に移動する潜像（Ｔ）に対応したものである。以下、第１の潜像画像（３０）及び第２の潜像画像（４０）の詳細について説明する。
【００２８】
本実施の形態では、図２（ａ）から図２（ｅ）へ観察角度を変化させた場合に、五つの異なる位置で、潜像（Ｔ）が移動して視認されることから、第１の潜像画像（３０）もまた、図５（ａ）に示す五つの画像（以下「第１−１の潜像画像（３０Ａ）」、「第１−２の潜像画像（３０Ｂ）」、「第１−３の潜像画像（３０Ｃ）」、「第１−４の潜像画像（３０Ｄ）」、「第１−５の潜像画像（３０Ｅ）」という。）から構成される。また、図２（ｅ）から図２（ｇ）へ観察角度を変化させた場合に、更に二つの異なる位置で、潜像（Ｔ）が移動して視認されることから、第２の潜像画像（４０）もまた、図５（ｂ）に示す二つの画像（以下「第２−１の潜像画像（４０Ａ）」、「第２−２の潜像画像（４０Ｂ）」という。）から構成される。
【００２９】
第１−１の潜像画像（３０Ａ）は、図５（ｃ）に示すように、第２の画線幅（Ｗ２）の第１−１の潜像画線（３１Ａ）が、蒲鉾状画線（１１）のピッチと同じ第１のピッチ（Ｐ１）で、蒲鉾状画線（１１）と同じ第一の方向（図中Ｓ１方向）に万線状に配置されて成る。ここで、第１−１の潜像画線（３１Ａ）の構成について説明する。
【００３０】
図６は、第１−１の潜像画像（３０Ａ）を形成するための基画像を示す図であり、潜像（Ｔ１）に対応して「花びら」が左端に位置する基画像（３０ａ）を示す図である。
【００３１】
第１−１の潜像画像（３０Ａ）は、図６に示すように、基画像（３０ａ）を、蒲鉾状画線（１１）の画線幅（Ｗ１）のｎ分の１以下の画線幅で分割した複数の画線（３０ａ−１、３０ａ−２、・・・、３０ａ−ｍ）を基に形成される。ここでいう、「ｎ」とは、潜像の個数に相当し、本実施の形態では、七つの潜像（Ｔ１からＴ７まで）が視認されることから、複数の画線（３０ａ−１、３０ａ−２、・・・、３０ａ−ｍ）の幅（Ｗ２）は、蒲鉾状画線（１１）の画線幅（Ｗ１）の７分の１以下の画線となる。このように分割された複数の画線を、蒲鉾状画線（１１）の上に形成したものが第１−１の潜像画線（３１Ａ）であり、前述のように、第１−１の潜像画線（３１Ａ）が配置される方向は、蒲鉾状画線（１１）が配置される方向と同じ方向であり、同じピッチ（Ｐ１）で配置されることから、図７に示すように、第１−１の潜像画線（３１Ａ）は、蒲鉾状画線（１１）の上に重なって形成される。また、第１−１の潜像画線（３１Ａ）の画線幅（Ｗ２）は、蒲鉾状画線（１１）の画線幅（Ｗ１）より小さいことから、図７の拡大図に示すように、第１−１の潜像画線（３１Ａ）は、蒲鉾状画線（１１）の一部に重なって形成される。なお、詳細には、図６に示す基画像（３０ａ）を分割した複数の画線（３０ａ−１、３０ａ−２、・・・、３０ａ−ｍ）のうち、「花びら」に対応した画線のみが蒲鉾状画線（１１）の上に第１−１の潜像画線（３１Ａ）として形成される（「花びら」の図柄がない部分は、蒲鉾状画線（１１）の上には形成されない）。
【００３２】
図８は、第１−２の潜像画像（３０Ｂ）を形成するための基画像を示す図であり、潜像（Ｔ２）に対応して、図６に示す基画像（３０ａ）の「花びら」の位置よりも右側に位置する基画像（３０ｂ）を示す図である。
【００３３】
第１−２の潜像画像（３０Ｂ）は、図８に示すように、基画像（３０ｂ）を、蒲鉾状画線（１１）の画線幅（Ｗ１）のｎ分の１以下の画線幅で分割した複数の画線（３０ｂ−１、３０ｂ−２、・・・、３０ｂ−ｍ）を基に形成される。このように分割された複数の画線を、蒲鉾状画線（１１）の上に形成したものが第１−２の潜像画線（３１Ｂ）である。なお、第１−２の潜像画線（３１Ｂ）は、第１−１の潜像画線（３１Ａ）と同じ第２の画線幅（Ｗ２）で形成される。
【００３４】
第１−２の潜像画線（３１Ｂ）もまた、第１のピッチ（Ｐ１）で、第１−１の潜像画線（３１Ａ）が配置される第一の方向と同じ方向に万線状に配置され、かつ、第１−１の潜像画線（３１）と重なることなく配置される。その結果、図９に示すように、第１−２の潜像画線（３１Ｂ）は、蒲鉾状画線（１１）の上の一部に重なって形成される。また、第１−２の潜像画線（３１Ｂ）の画線幅（Ｗ２）は、蒲鉾状画線（１１）の画線幅（Ｗ１）より小さいことから、図９の拡大図に示すように、第１−２の潜像画線（３１Ｂ）は、蒲鉾状画線（１１）の一部に重なって形成される。なお、詳細には、図８に示す基画像（３０ｂ）を分割した複数の画線（３０ｂ−１、３０ｂ−２、・・・、３０ｂ−ｍ）のうち、「花びら」に対応した画線のみが蒲鉾状画線（１１）の上に第１−２の潜像画線（３１Ｂ）として形成される（「花びら」の図柄がない部分は、蒲鉾状画線（１１）の上には形成されない）。
【００３５】
第１−３の潜像画像（３０Ｃ）から第１−５の潜像画像（３０Ｅ）までも同様にして、「花びら」の位置が徐々に異なって右端まで移動する基画像（図示せず）を分割した画線を基に、蒲鉾状画線（１１）の上に形成する。
【００３６】
第２の潜像画像（４０）を構成する第２−１の潜像画像（４０Ａ）と第２−２の潜像画像（４０Ｂ）は、左端に位置する第１−１の潜像画像（３０Ａ）から右端に位置する第１−５の潜像画像（３０Ｅ）へ移動する規則とは、逆の規則で、「花びら」の位置が右端から左端へ徐々に移動する基画像（図示せず）を分割した画線を基に、蒲鉾状画線（１１）の上に形成する。
【００３７】
潜像（Ｔ）が直線上に移動する本実施の形態において、第１−１の潜像画像（３０Ａ）から第１−５の潜像画像（３０Ｅ）へ移動する規則とは、図１０に示すように、第１−１の潜像画像（３０Ａ）から第１−５の潜像画像（３０Ｅ）の図柄である「花びら」が移動する直線の仮想線（Ｌ）上に、潜像（Ｔ）の図柄である「花びら」における所定の位置、例えば、中心の位置（Ｐ）が配置され、一定の方向へ移動することである。なお、図１０において、「花びら」が左端から右端に移動するまでの中間の位置を符号（Ｋ２、Ｋ３、Ｋ４）で示しており、それぞれの位置は、第１−２の潜像画像（３０Ｂ）から第１−４の潜像画像（３０Ｄ）までの位置に対応したものである。図１０において、各潜像画像の位置（Ｋ１からＫ５まで）は、等間隔に離れた例であるが、図１１に示すように、一定の方向に移動する構成であれば、各潜像画像の間隔が異なっていてもよい。
【００３８】
潜像（Ｔ）が直線上に移動する本実施の形態において、第２−１の潜像画像（４０Ａ）と第２−２の潜像画像（４０Ｂ）が移動する逆の規則とは、第１−１の潜像画像（３０Ａ）から第１−５の潜像画像（３０Ｅ）の図柄である「花びら」が移動する直線の仮想線（Ｌ）上に、第２−１の潜像画像（４０Ａ）と第２−２の潜像画像（４０Ｂ）である「花びら」における所定の位置、例えば、中心の位置（Ｐ）が配置され、かつ、逆の方向へ移動することであり、図１２（ａ）は、第２−１の潜像画像（４０Ａ）が、左端の位置（Ｋ１）と右端の位置（Ｋ５）から等間隔の中間の位置（第１−３の潜像画像（３０Ｃ）の位置（Ｋ３）と同じ位置）に配置され、第２−２の潜像画像（４０Ｂ）が、左端の位置（Ｋ１）の位置に配置された状態を示しており、それぞれの位置を符号（ｋ１、ｋ２）として図示している。図１２（ａ）において、各潜像画像の位置（ｋ１、ｋ２）は、等間隔で離れた例であるが、図１２（ｂ）に示すように、一定の方向に移動する構成であれば、各潜像画像の間隔が異なっていてもよい。
【００３９】
以上の規則性がある第２−１の潜像画像（４０Ａ）と第２−２の潜像画像（４０Ｂ）に対応して、「花びら」の位置が右端から左端に移動する基画像（図示せず）を分割した画線を、図１３に示すように、蒲鉾状画線群（１０）の上に形成する。なお、図１３において符号（４１Ａ）で示すのは、第２−１の潜像画像（４０Ａ）を構成する第２−１の潜像画線（４１Ａ）であり、符号（４１Ｂ）で示すのは、第２−２の潜像画像（４０Ｂ）を構成する第２−２の潜像画線（４１Ｂ）である。蒲鉾状画線（１１）に配置される各潜像画線（３１Ａ〜３１Ｅ、４１Ａ、４１Ｂ）が配置される順は、図１３の拡大図に示すように、観察角度の変化によって視認できる潜像（Ｔ）を構成する潜像画線の順であり、徐々に位置が異なる基画像の順に対応して、分割して得られた画線の順である。
【００４０】
本発明において、蒲鉾状画線（１１）と潜像画線（３１Ａ〜３１Ｅ、４１Ａ、４１Ｂ）の配置は、図１３の拡大図に示す配置に限定されるものではなく、例えば、図１４（ａ）に示すように、蒲鉾状画線（１１）の左端に第１−３の潜像画線（３１Ｃ）が形成され、蒲鉾状画線（１１）の右端に第１−２の潜像画線（３１Ｂ）が形成される配置でもよい。また、図１４（ｂ）に示すように、蒲鉾状要素（１１）の左端に第２−１の潜像画線（４１Ａ）が形成され、蒲鉾状画線（１１）の右端に第１−５の潜像画線（３１Ｅ）が形成される配置でもよい。いずれの場合においても、潜像（Ｔ）が往復移動して視認できる効果は得られる。
【００４１】
潜像画像（２０）を構成する各潜像画線（３１Ａ〜３１Ｅ、４１Ａ、４１Ｂ）に、盛り上がりの高さは必須でなく、このため、いかなる印刷方式で形成してもよい。生産性を考えれば、オフセット印刷で形成することが最も好ましい。正反射光下で潜像画像（２０）を可視化するために、各潜像画線（３１Ａ〜３１Ｅ、４１Ａ、４１Ｂ）は、正反射時に蒲鉾状画線（１１）との間に色差を生じる必要があり、少なくとも正反射時の色彩が、前述の蒲鉾状画線（１１）の正反射時の色彩と異なっている必要があり、具体的には、各潜像画線（３１Ａ〜３１Ｅ、４１Ａ、４１Ｂ）は、蒲鉾状画線（１１）の正反射時の色相、明度及び彩度のうち、少なくとも一つが異なっていればよい。
【００４２】
また、各潜像画線（３１Ａ〜３１Ｅ、４１Ａ、４１Ｂ）は、蒲鉾状画線（１１）の上に重ねて形成されるために、各潜像画線（３１Ａ〜３１Ｅ、４１Ａ、４１Ｂ）の下の蒲鉾状画線（１１）に入射する光を遮断し、正反射光下で生じる蒲鉾状画線（１１）の色彩変化を抑制する働きを成す。このため、各潜像画線（３１Ａ〜３１Ｅ、４１Ａ、４１Ｂ）が重なっているか否かによって、蒲鉾状画線（１１）の正反射時の色彩に、より大きな違いが生じるため、潜像（Ｔ）の視認性をより高めるためには、各潜像画線（３１Ａ〜３１Ｅ、４１Ａ、４１Ｂ）は、高い光遮断性を備えていることが望ましい。  
【００４３】
そのため、各潜像画線（３１Ａ〜３１Ｅ、４１Ａ、４１Ｂ）を印刷で形成する場合には、低光沢なマットインキを用いることが望ましい。また、これらのインキにチタンのような光遮断性の高い機能性材料を配合すると、より高い効果を得ることができる。また、各潜像画線（３１Ａ〜３１Ｅ、４１Ａ、４１Ｂ）は、拡散反射光下では不可視であることが望ましいことから、無色透明か、半透明程度の色彩であることが望ましい。ただし、品質管理を容易にするために、わずかに着色顔料を配合してインキを着色したり、透明インキに蛍光顔料を配合したりして、ＵＶランプを用いて脱刷や印刷不良等の異常を管理することもできる。
【００４４】
また、各潜像画線（３１Ａ〜３１Ｅ、４１Ａ、４１Ｂ）は、インキによって形成するだけでなく、蒲鉾状画線（１１）を切削することにより形成することもできる。このような切削は、レーザー加工機を用いることで容易に実施することができる。レーザーが照射された蒲鉾状画線（１１）は、表面の平滑性が失われ、入射する光が表面で散乱されることから、レーザー加工によって形成された各潜像画線（３１Ａ〜３１Ｅ、４１Ａ、４１Ｂ）は、反射光が大きく低下する。そのため、レーザー加工を用いることでも、本発明の各潜像画線（３１Ａ〜３１Ｅ、４１Ａ、４１Ｂ）に必要とする特性を付与することができる。
【００４５】
（効果）
続いて、以上の構成で成る潜像印刷物（１）を、正反射光下の異なる観察角度から観察した際の効果について説明する。
【００４６】
図１５は、図２（ａ）に示す観察条件に対応して、蒲鉾状画線（１１）の上に各潜像画線（３１Ａ〜３１Ｅ、４１Ａ、４１Ｂ）が形成された潜像印刷物（１）に、特定の光源（９）から光が入射した場合の光の挙動を模式的に示す図である。
【００４７】
正反射光下においては、蒲鉾状画線（１１）の有する光学特性である明暗フリップフロップ性又はカラーフリップフロップ性によって、色彩が大きく変化するために、潜像画線（３１Ａ〜３１Ｅ、４１Ａ、４１Ｂ）のいずれかとの間に大きな色差が生じ、潜像画像（３０Ａ〜３０Ｅ、４０Ａ、４０Ｂ）のいずれかが可視化される。ただし、蒲鉾状画線（１１）は盛り上がりを有しているため、蒲鉾状画線（１１）の表面全体が一斉に光を反射することはなく、各潜像画線（３１Ａ〜３１Ｅ、４１Ａ、４１Ｂ）全体が一度に可視化されることはない。正反射光下においては、蒲鉾状画線（１１）の画線表面のうち、入射した光と直交する画線表面だけが強く光を反射し、その領域だけ蒲鉾状画線（１１）と潜像画線（３１Ａ〜３１Ｅ、４１Ａ、４１Ｂ）の間に大きな色差が生じる。結果として入射した光と直交した蒲鉾状画線（１１）の画線表面の上に重ねられた潜像画線（３１Ａ〜３１Ｅ、４１Ａ、４１Ｂ）の画像情報のみがサンプリングされ、可視化されることとなる。
【００４８】
以上のことから、図１５の拡大図に示す正反射光下の観察条件のとき、蒲鉾状画線（１１）が単体で形成された部分は、光を強く正反射する（又は色が変化する）中、第１−１の潜像画線（３１Ａ）が形成された部分は、異なる色彩となり、基画像（３０ａ）が分割されて複数の蒲鉾状画線（１１）の上に形成された第１−１の潜像画線（３１Ａ）がサンプリングされて、潜像（Ｔ１）が可視化される。なお、各潜像画線（３１Ａ〜３１Ｅ、４１Ａ、４１Ｂ）が光を遮断する場合には、蒲鉾状画線（１１）との明暗差も生じる。
【００４９】
以上の潜像（Ｔ）が視認できる原理によって、図２（ａ）及び図１５に示す観察条件から図２（ｅ）の観察状態へ、徐々に潜像印刷物（１）を傾けて観察すると、「花びら」の潜像（Ｔ）もまた、図２に示す潜像（Ｔ２）から潜像（Ｔ４）を経由して右端まで移動する。また、図２（ｅ）の観察状態から、更に図２（ｇ）の観察状態へ徐々に潜像印刷物（１）を傾けて観察すると、「花びら」の潜像（Ｔ）は、右端から左端まで移動し元の位置に戻る。なお、左端から右端に移動する潜像（Ｔ）に対応した第１の潜像画像（３０）は、五つの潜像画像（３０Ａ、３０Ｂ、３０Ｃ、３０Ｄ、３０Ｅ）から構成され、右端から左端に移動する潜像（Ｔ）に対応した第２の潜像画像（４０）は、二つの潜像画像（４０Ａ、４０Ｂ）から構成されることから、図２に示すように、視認される潜像（Ｔ）は、左端から右端の移動にかけて五つの潜像が視認され、右端から左端の移動にかけて二つの潜像が視認される。
【００５０】
図２６において説明した引用文献２の印刷物は、潜像（Ｓ）が左端から右端へ移動するまでに、四つの潜像（Ｓ１からＳ４まで）によって徐々に移動することに対して、本発明の潜像印刷物（１）は、潜像（Ｔ）が左端から右端へ移動するまでに、五つの潜像（Ｔ１からＴ５まで）によって徐々に移動する、すなわち、隣同士の潜像の移動量が小さいことから、仮に、潜像要素のサンプリングされる範囲が広くなったとしても、従来の印刷物よりも潜像（Ｔ）が不鮮明になり難いという効果がある。
【００５１】
引用文献２の印刷物は、前述のように、蒲鉾状画線の上に形成された隣同士の潜像画線が干渉することで、潜像画像の解像度が低下する問題があった。銀行券、有価証券等のセキュリティ印刷物において、真偽判別や偽造防止技術の用途として施される特許文献１及び特許文献２の技術は、まず、正反射光下で観察した際に鮮明な潜像が出現されることが重要であり、潜像を認識した後、更に傾けることで潜像の変化を視認することとなるが、はじめから潜像が認識し難いと、その後に、傾けて認証する動作が行われなくなってしまう。そこで、本発明は、正反射光下の観察で、はじめに潜像（Ｔ）を視認する特定の観察条件（本実施の形態では、図２（ａ）から図２（ｅ）までの観察状態のいずれか）において、視認性が向上した潜像（Ｔ）が視認できることで、観察者の注意を引き、更に、傾けて観察することで、往復移動する効果が生じ、かつ、蒲鉾状画線群（１０）と潜像画像（２０）の刷り合わせのずれにも対応することが可能な潜像印刷物（１）としたものである。
【００５２】
本実施の形態では、潜像（Ｔ）が七つの異なる位置で変化して視認できる潜像印刷物（１）の例について説明したが、本発明において、潜像（Ｔ）の数はこれに限定されるものではなく、更に第１の潜像画像（３０）及び第２の潜像画像（４０）を構成する潜像画像の数を増やすことで、よりスムーズに潜像（Ｔ）が移動する構成とすることができる。ただし、これまで説明したように、潜像（Ｔ）の移動量は同じであるが、移動の折り返しまでの潜像（Ｔ）の数と、折り返し後の潜像（Ｔ）の数を異ならせた潜像画像（２０）の構成とする必要がある。なお、図２に示す効果の潜像印刷物（１）の例に対して、更に多くの潜像（Ｔ）が視認できる構成の一例については、実施例１で説明する。
【００５３】
（移動の例）
以上に説明した潜像印刷物（１）においては、観察角度の変化によって、潜像（Ｔ）が左端から右端に直線上に移動する例について説明したが、本発明において、潜像（Ｔ）の移動の仕方は、これに限定されるものではない。例えば、上下方向に反復移動してもよいし、斜め方向に反復移動してもよい（図示せず）。また、直線上の移動に限定されものではなく、図１６（ａ）に示す曲線上の移動でもよいし、図１６（ｂ）に示すように、部分的に方向が異なる直線上の移動でもよい。また、これまでに説明した移動の例を組み合わせた移動でもよい。いずれにしても、潜像（Ｔ）が一端から他端に移動した後、一端から他端に移動する仮想線（Ｌ）上を、他端から一端へ移動する潜像（Ｔ）に対応した潜像画像（２０）の構成とし、かつ、潜像（Ｔ）の折り返しの前後で、潜像（Ｔ）の数を異ならせた潜像画像（２０）の構成とする。
【００５４】
（潜像の変形の例）
本発明の潜像印刷物（１）は、潜像（Ｔ）が移動して視認される効果に限定されず、潜像（Ｔ）が回転してもよい。図１７は、回転して視認できる潜像（Ｔ）の一例を示す図であり、図１７（ａ）から図１７（ｅ）までにかけて「顔画像」の潜像（Ｔ）が、反時計回りに回転し、図１７（ｅ）から図１７（ｇ）までにかけて時計回りに回転して、元の潜像（Ｔ）に戻るように変化する例である。この場合、図１７（ａ）に示す潜像（Ｔ１）に対応した第１−１の潜像画像（３０Ａ）から、図１７（ｅ）に示す潜像（Ｔ５）に対応した第１−５の潜像画像（３０Ｅ）まで回転する規則に対して、図１７（ｆ）に示す潜像（Ｔ６）に対応した第２−１の潜像画像（４０Ａ）と図１７（ｇ）に示す潜像（Ｔ７）に対応した第２−２の潜像画像（４０Ｂ）は、逆の規則で回転した構成とする。
【００５５】
この場合、図１８（ａ）に示すように、第１−１の潜像画像（３０Ａ）の図柄である「顔画像」の中心の位置（Ｏ）を軸として、「顔画像」が一定の回転方向に回転し、「顔画像」の所定の位置、例えば、頂点（Ｐ）の位置は、中心の位置（Ｏ）までの距離を半径とする仮想の円（Ｌ）の上を一定の回転方向（図１８（ａ）では反時計周り）に移動する。なお、図１８（ａ）に示す符号（Ｋ１からＫ５まで）は、潜像（Ｔ１からＴ５まで）に対応した、「顔画像」の頂点（Ｐ）の位置を示したものである。図１８（ａ）において、各潜像画像の頂点（Ｐ）の位置（Ｋ１からＫ５まで）は、等間隔に離れた例であるが、図１８（ｂ）に示すように、一定の回転方向に移動する構成であれば、各潜像画像の間隔が異なっていてもよい。
【００５６】
これに対して、第２−１の潜像画像（４０Ａ）と第２−２の潜像画像（４０Ｂ）が回転する逆の規則とは、図１９（ａ）に示すように、同じ「顔画像」の中心の位置（Ｏ）を軸として逆の回転方向（図１９（ａ）では時計周り）に回転することである。これによって、「顔画像」の所定の位置である頂点（Ｐ）の位置は、同じ仮想の円（Ｌ）の上を逆の回転方向に移動する。図１９（ａ）において、各潜像画像の頂点（Ｐ）の位置（ｋ１、ｋ２）は、等間隔に離れた例であり、第２−１の潜像画像（４０Ａ）の頂点（Ｐ）の位置（ｋ１）は、図１８（ａ）に示す第１−３の潜像画像（３０Ｃ）の頂点（Ｐ）の位置（Ｋ３）と同じ位置であるが、図１９（ｂ）に示すように、一定の回転方向に移動する構成であれば、各潜像画像の間隔が異なっていてもよい。
【００５７】
以上の規則性がある各潜像画像に対応して、「顔画像」が反時計周りと、時計周りに回転する基画像（図示せず）を用意して、前述した方法と同様にして、潜像画像（２０）を形成すればよい。
【００５８】
図１７から図１９までに示す潜像画像は、「顔画像」の中心の位置（Ｏ）を軸として、回転する例であるが、回転の軸の位置を異ならせることで、図２０（ａ）から図２０（ｇ）までに示すように、潜像（Ｔ）が回転する効果を得ることもできる。
【００５９】
また、観察角度の変化によって、潜像（Ｔ）の形状が徐々に異なる構成としてもよく、図２１は、拡大と縮小の効果が視認できる潜像（Ｔ）の一例を示す図であり、図２１（ａ）から図２１（ｅ）までにかけて潜像（Ｔ）が拡大し、図２１（ｅ）から図２１（ｇ）までにかけて潜像（Ｔ）が縮小して、元の潜像（Ｔ）に戻るように変化する例である。この場合、図２１（ａ）に示す潜像（Ｔ１）に対応した第１−１の潜像画像（３０Ａ）から、図２１（ｅ）に示す潜像（Ｔ５）に対応した第１−５の潜像画像（３０Ｅ）まで拡大する規則に対して、図２１（ｆ）に示す潜像（Ｔ６）に対応した第２−１の潜像画像（４０Ａ）と、図２１（ｇ）に示す潜像（Ｔ７）に対応した第２−２の潜像画像（４０Ｂ）は、逆の規則で縮小した構成とする。
【００６０】
図２２（ａ）は、図２１（ａ）に示す潜像（Ｔ１）に対応した第１−１の潜像画像（３０Ａ）から、図２１（ｅ）までに示す潜像（Ｔ５）に対応した第１−５の潜像画像（３０Ｅ）まで拡大する規則について説明する図であり、この場合、「顔画像」の所定の位置、例えば、頂点（Ｐ）の位置は、拡大する方向の仮想線（Ｌ）上にずれて配置される。図２２（ａ）において、各潜像画像の頂点（Ｐ）の位置は、等間隔に離れて拡大された例であるが、一定の方向に拡大される構成であれば、各潜像画像の間隔が異なっていてもよい（図示せず）。
【００６１】
これに対して、第２−１の潜像画像（４０Ａ）と第２−２の潜像画像（４０Ｂ）が縮小する逆の規則とは、図２２（ｂ）に示すように、同じ「顔画像」の頂点（Ｐ）の位置が、拡大する方向の仮想線（Ｌ）上を逆の方向にずれて配置されることである。図２２（ｂ）において、各潜像画像の頂点（Ｐ）の位置は、等間隔に離れて縮小された例であり、第２−１の潜像画像（４０Ａ）の頂点（Ｐ）の位置は、図２２（ａ）に示す第１−３の潜像画像（３０Ｃ）の頂点（Ｐ）の位置と同じ位置であるが、一定の方向に縮小される構成であれば、各潜像画像の間隔が異なっていてもよい（図示せず）。
【００６２】
以上の規則性がある各潜像画像に対応して、「顔画像」が拡大と縮小する基画像（図示せず）を用意して、前述した方法と同様にして、潜像画像（２０）を形成すればよい。
【００６３】
また、潜像（Ｔ）の形状が徐々に異なる構成の別の例として、図２３に示すように、潜像（Ｔ）の図柄の一部が徐々に変化する構成としてもよい。図２３は、図柄の一部が徐々に変化する潜像（Ｔ）の一例を示す図であり、「三角形」の図形の潜像（Ｔ）において、図２３（ａ）から図２３（ｅ）までにかけて、底辺は一定で変化することなく、高さが大きくなって形状が変化し、図２３（ｅ）から図２３（ｇ）までにかけて「三角形」の図形が元の形状に戻るように変化する例である。
【００６４】
図２３（ａ）から図２３（ｇ）までに示すような潜像（Ｔ）が変化する場合においても、図２３（ａ）に示す潜像（Ｔ１）に対応した第１−１の潜像画像（３０Ａ）から図２３（ｅ）までに示す潜像（Ｔ５）に対応した第１−５の潜像画像（３０Ｅ）に変化する規則に対して、図２３（ｆ）に示す潜像（Ｔ６）対応した第２−１の潜像画像（４０Ａ）と図２３（ｇ）に示す潜像（Ｔ７）に対応した第２−２の潜像画像（４０Ｂ）は、逆の規則で変化する構成とする。
【００６５】
図２４（ａ）は、図２３（ａ）に示す潜像（Ｔ１）に対応した第１−１の潜像画像（３０Ａ）から、図２３（ｅ）までに示す潜像（Ｔ５）に対応した第１−５の潜像画像（３０Ｅ）まで変化する規則について説明する図であり、「三角形」の所定の位置、例えば、頂点（Ｐ）の位置は、潜像（Ｔ）の図柄である「三角形」の高さが大きくなる方向の仮想線（Ｌ）上にずれて配置される。これに対して、第２−１の潜像画像（４０Ａ）と第２−２の潜像画像（４０Ｂ）は、図２４（ｂ）に示すように、逆の規則で仮想線（Ｌ）を逆の方向にずれて配置される。図２４（ｂ）において、各潜像画像の頂点（Ｐ）の位置は、等間隔にずれて配置された例であるが、一定の方向にずれて配置される構成であれば、各潜像画像の間隔が異なっていてもよい（図示せず）。なお、実際には、「三角形」の図形を構成する各位置において、第１−１の潜像画像（３０Ａ）から第１−５の潜像画像（３０Ｅ）まで変化する仮想線があるが、説明を簡易にするため、図２４では、「三角形」の所定の位置（Ｐ）のみを説明している。
【００６６】
以上の規則性がある各潜像画像に対応して、「三角形」の図形が変化する基画像（図示せず）を用意して、前述した方法と同様にして、潜像画像（２０）を形成すればよい。
【００６７】
本実施の形態では、蒲鉾状画線群（１０）の上に潜像画像（２０）が積層された潜像印刷物（１）について説明したが、本発明の潜像印刷物（１）は、特開２０１６−２０３４５８号公報に記載の光反射層を蒲鉾状画線群（１０）の下に備えてもよい。また、本発明の蒲鉾状画線群は、特開２０１６−２２１８８８号公報に記載の蒲鉾状画線群の上に反射層が積層された反射性蒲鉾状画線群の構成であってもよく、その上に、本発明の潜像画像（１０）を積層してもよい。
【００６８】
以下、前述の発明を実施するための形態にしたがって、具体的に作製した潜像印刷物の実施例について詳細に説明するが、本発明はこの実施例に限定されるものではない。
【００６９】
（実施例１）
実施例１は、潜像（Ｔ）の図柄を「Ａ」の文字とし、傾けて観察する角度の変化によって、潜像（Ｔ）が往復移動して視認できる潜像印刷物（１）である。実施例１の潜像印刷物（１）の詳細について説明する。
【００７０】
基材（２）は、表面光沢度が、光沢度計（ＢＹＫ製＿マイクロトリグロス）にて８５°光沢度が８．２であり、Ｂｅｃｋ式平滑性が、１４５秒である上質紙を用いた。
【００７１】
基材（２）の上に形成する蒲鉾状画線（１１）を形成するインキは、３０℃において粘度が１．０Ｐａ・ｓの紫外線硬化樹脂に、インキ全量中にアルミベースの金属反射顔料（Ｃｏｓｍｉｃｏｌｏｒ Ｃｅｌｅｓｔｅ Ｆｒｏｓｔ Ｓｉｌｖｅｒ  東洋アルミニウム製）を６重量％配合したインキを用い、スクリーン印刷により印刷した。スクリーン印刷した後、ＵＶ照射（メタルハライドランプ）で硬化させて蒲鉾状画線群（１０）を作製した。なお、蒲鉾状画線（１１）の第１の画線幅（Ｗ１）を４００μｍとし、第１のピッチ（Ｐ１）を５２５μｍとして、複数の蒲鉾状画線（１１）を形成した。得られた蒲鉾状画線（１１）の盛り上がりの高さ（Ｈ）は２０μｍであった。
【００７２】
潜像像画像（２０）の構成について、図２７を用いて説明する。図２７（ａ）は、実施例１の潜像画像（２０）を構成する第１の潜像画像（３０）の構成を示す図であり、図２７（ｂ）は、第２の潜像画像（４０）の構成を示す図である。図２７（ａ）に示すように、第１の潜像画像（３０）は、第１−１の潜像画像（３０−１）から第１−１８の潜像画像（３０−１８）までによって構成され、１８個の潜像画像によって、「Ａ」の文字が左端から右端へ８ｍｍ移動する構成とした。また、図２７（ｂ）に示すように、第２の潜像画像（４０）は、第２−１の潜像画像（４０−１）から第２−１２の潜像画像（４０−１２）までによって構成され、１２個の潜像画像によって、「Ａ」の文字が右端から左端へ８ｍｍ移動する構成とした。
【００７３】
第１の潜像画像（３０）及び第２の潜像画像（４０）に対応した基画像は、イラストレータ（Ｉｌｌｕｓｔｒａｔｅｒ ＣＳ６  Ａｄｏｂｅ社製）を用いて作成し、作成した基画像をマスク処理により所定の形状で分割して、各潜像画像に対応した複数の画線を得た。なお、第１の画線幅（Ｗ１）が４００μｍである蒲鉾状画線（１１）に、最大で３０個の潜像画線を形成する必要があることから、基画像を分割した画線の幅（Ｗ２）は、１２μｍとした。
【００７４】
得られた複数の画線のデータを出力してオフセット版面を作製し、オフセット印刷方式により蒲鉾状画線（１１）の上に印刷することで、実施例１の潜像印刷物（１）を作製した。なお、潜像画像（２０）を形成するインキは、紫外線硬化型インキ（ＵＶカートンＬ白＿Ｔ＆Ｋ製）を用いた。
【００７５】
以上の構成で成る実施例１の潜像印刷物（１）を正反射光下で徐々に傾けて観察すると、図２７（ａ）に示す第１−１の潜像画像（３０−１）から第１−１８の潜像画像（３０−１８）までによる「Ａ」の文字の潜像（Ｔ）が鮮明に視認でき、第２−１の潜像画像（４０−１）から第２−１２の潜像画像（４０−１２）までによる潜像（Ｔ）によって、「Ａ」の文字である潜像（Ｔ）が往復移動して視認された。
【００７６】
（実施例２、実施例３、実施例４）
実施例２から実施例４は、実施例１の潜像印刷物（１）に対して、第１の潜像画像（３０）と第２の潜像画像（４０）の割合が異なる例であり、「Ａ」の文字が移動する距離は同じであるが、左端から右端に移動する潜像画像と、右端から左端に移動する潜像画像の割合が、表１のとおり異なる。なお、その他の構成については、実施例１と同じであるため説明を省略する。実施例２から実施例４までの潜像印刷物（１）においても、「Ａ」の文字が往復移動して視認される効果が得られる中で、第１の潜像画像（３０）による潜像「Ｔ」が、鮮明に視認できる効果が得られた。
【００７７】
実施例２から４までの潜像印刷物（１）は、第１の潜像画像（３０）を構成する潜像画像の数が、実施例１よりも多い構成であり、第１の潜像画像（３０）による左端から右端に移動する潜像（Ｔ）は、実施例１よりも、更に、鮮明であり、実施例４が最も鮮明に視認できた。その一方で、実施例４の潜像印刷物（１）は、第２の潜像画像（４０）を構成する潜像画像の数が小さくなることで、左右に反復移動する潜像（Ｔ）の折り返しの付近の観察角度で、潜像（Ｔ）の鮮明度がわずかに低下する現象が見られた。
【００７８】
【表１】
2020019255.tif 000003
【符号の説明】
【００７９】
１  潜像印刷物
２  基材
１０  蒲鉾状画線群
１１  蒲鉾状画線
２０  潜像画像
３０  第１の潜像画像
３１  第１の潜像画線
４０  第２の潜像画像
４１  第２の潜像画線
Ｔ  潜像
Ｒ  潜像（特許文献１）
Ｓ  潜像（特許文献２）
【図１】
2020019255.tif 000004
【図２】
2020019255.tif 000005
【図３】
2020019255.tif 000006
【図４】
2020019255.tif 000007
【図５】
2020019255.tif 000008
【図６】
2020019255.tif 000009
【図７】
2020019255.tif 000010
【図８】
2020019255.tif 000011
【図９】
2020019255.tif 000012
【図１０】
2020019255.tif 000013
【図１１】
2020019255.tif 000014
【図１２】
2020019255.tif 000015
【図１３】
2020019255.tif 000016
【図１４】
2020019255.tif 000017
【図１５】
2020019255.tif 000018
【図１６】
2020019255.tif 000019
【図１７】
2020019255.tif 000020
【図１８】
2020019255.tif 000021
【図１９】
2020019255.tif 000022
【図２０】
2020019255.tif 000023
【図２１】
2020019255.tif 000024
【図２２】
2020019255.tif 000025
【図２３】
2020019255.tif 000026
【図２４】
2020019255.tif 000027
【図２５】
2020019255.tif 000028
【図２６】
2020019255.tif 000029
【図２７】
2020019255.tif 000030